(57)【要約】  【課題】液晶パネル表示部３４と記録メディア用のスロット５０〜５２を有する画像記録装置１をコンパクトな形態にする。  【解決手段】  下側本体２の一側部位に対して上側本体３が枢軸部４にて回動開閉可能に取り付けられ、液晶パネル表示部３４は下側本体２の上面のうち下側本体２の正面に近い側縁部近傍に設けられている。上側本体３には、これを下側本体２の上面に対して閉じたときに液晶パネル表示部３４の表示面が見えるようにする切欠き状の開口部３６が形成され、下側本体２の正面には、液晶パネル表示部３４と枢軸部４との間に部位に、複数種類の記録メディア用のスロット５０〜５２が略水平状に開口形成されているので、液晶パネル表示部３４とスロット５０〜５２が上下に重ならず、画像記録装置１の高さを低く形成することができる。  【選択図】図１
2006218650.tif 000002
【特許請求の範囲】
【請求項１】
被記録媒体を供給して排出する搬送手段と、この搬送手段にて搬送される被記録媒体に対して画像形成するための記録部と、当該装置の動作を制御するための制御基板とを備えた下側本体と、原稿を読取る読取手段が往復移動可能に備えられた上側本体とからなり、前記下側本体の一側部位に対して前記上側本体が回動開閉可能に取り付けられ、前記下側本体の上面に液晶パネル表示部が配置された画像記録装置において、
前記上側本体には、当該上側本体を前記下側本体の上面に対して閉じたときに前記液晶パネル表示部の表示面が見えるようにする開口部が形成され、
前記液晶パネル表示部は、下側本体の上面のうち当該下側本体の正面に近い側縁部近傍であって、前記下側本体の左右方向のほぼ中央部位に配置され、
前記下側本体の正面には、前記液晶パネル表示部の配置位置の側部に、記録メディア用のスロットが開口形成されていることを特徴とする画像記録装置。
【請求項２】
前記下側本体に対する上側本体の回動軸線が配置される側縁部と前記液晶パネル表示部が配置される側縁部とが平面視で互いに直交していることを特徴とする請求項１に記載の画像記録装置。
【請求項３】
前記下側本体には、前記液晶パネル表示部を挟んで左右両側部位に当該画像記録装置の備える複数の機能を指示可能な入力キーを配置したことを特徴とする請求項１または２に記載の画像記録装置。
【請求項４】
前記液晶パネル表示部を挟んで配置した一対の入力キーのうち一方はテンキーであることを特徴とする請求項３に記載の画像記録装置。
【請求項５】
前記液晶パネル表示部は、その表示面が前記下側本体の上面に対して上向きの姿勢から前向きの姿勢まで変更可能となるように起伏可能または回動可能に構成され、
前記下側本体の上面には、前記液晶パネル表示部のうち、少なくとも前記一側部の回動軸線に対して近い側部と遠い側部とに、当該液晶パネル表示部の表面が前向き方向に起立した状態で、前記開口部と干渉しないようにする余裕区域を設けたことを特徴とする請求項３または４に記載の画像記録装置。
【請求項６】
前記上側本体には、前記開口部を挟んで左右両側部位に当該画像記録装置の備える複数の機能を指示可能な入力キーを配置したことを特徴とする請求項１または２に記載の画像記録装置。
【請求項７】
前記開口部を挟んで配置した一対の入力キーのうち一方はテンキーであることを特徴とする請求項６に記載の画像記録装置。
【請求項８】
前記上側本体の上面の近傍には、前記開口部を挟んで前記回動軸線に近い側と遠い側との両部位に、操作パネル基板がそれぞれ配置され、
前記両操作パネル基板を接続するハーネスが、切欠き状の前記開口部と隣接する奥側の部位に沿って配線されていることを特徴とする請求項６または７に記載の画像記録装置。
【発明の詳細な説明】
【技術分野】
【０００１】
本発明は、画像や文字等のデータを表示できる液晶パネル表示部を備えた、画像記録装置の構成に関するものである。
【背景技術】
【０００２】
従来から、テープ印字装置やインクジェット式のプリンタ、複写装置、ファクシミリ装置等の単機能装置、プリンタ機能、コピー機能、スキャナ機能、ファクシミリ機能を備えた多機能型または単機能型の画像記録装置では、その製品の各種機能を達成するための指示や装置の現在の状況や操作手順等をユーザーに知らせるための液晶パネル表示部を備えたものが知られている（特許文献１、２及び３参照）。
【０００３】
特許文献１に記載の印字テープ作成装置では、本体ケースの表面にカセットケースを収納した箇所を覆うためのカバー体と液晶パネル表示部とが配置されている。特許文献２及び３に記載のイメージスキャナ付きインクジェットプリンタでは、下側本体にインクジェットプリンタ部が組み込まれ、この下側本体の上面に対して回動開閉可能に装着された上側本体にイメージスキャナ部が組み込まれ、且つ上側本体の表面（上面）の一側部には、液晶パネル表示部を備えた操作パネル部が配置されている。
【特許文献１】特開平８−１６４０１４号公報（図１参照）
【特許文献２】特開２００３−１０３８６９号公報（図１参照）
【特許文献３】特開２００４−２９９８６７号公報（図１及び図２参照）
【発明の開示】
【発明が解決しようとする課題】
【０００４】
また、最近の画像記録装置では、デジタルカメラや、デジタルカメラ付き携帯電話等の携帯情報端末のように、デジタル画像データを多数収録できるカード型の記録メディア（メモリーカード）を挿抜可能にしたものが一般的に販売されている。そして、この記録メディアに記録（収納）されたデジタル画像データから写真専用紙やインクジェットプリンタ専用紙等に画像記録（印刷）する作業を簡単にできるようにするため、記録メディアを挿抜できるメディアスロットが設けられた画像記録装置の機種が種々販売されている。
【０００５】
上述のメディアスロットには、記録メディアを挿抜するための機構やデジタル画像データを入力または出力するためのインターフェース制御基板が一体的に形成されているので、かなりの必要体積を持つ。
【０００６】
他方、最近の画像記録装置では、デジタル画像データから処理（印刷）すべき画像全体を予め表示させたり、その画像をカラー表示させる等するため、液晶パネル表示部の表示面積を大きくしたものが知られている。
【０００７】
従って、特許文献２及び３に記載されているような画像記録装置に上述のメディアスロット及び液晶パネル表示部を配置する位置を工夫しないと、画像記録装置の容積が大きくなるという問題があった。
【０００８】
この問題を解決するため、開閉可能な上側本体に液晶パネル表示部を配置すると、一般的に下側本体に内蔵している制御基板から液晶パネル表示部までの信号乃至データ伝送用のハーネスが長くなり、このハーネス部分でノイズを拾い易くなって、液晶パネル表示部での表示性能が悪化するという問題があった。
【０００９】
また、装置全体の小型化のために、上側本体の平面視形状と下側本体の平面視形状とを略同一に形成することが好ましい。
【００１０】
本発明は、上記課題を解消するために、メディアスロット及び液晶パネル表示部の配置を工夫することにより、コンパクトな画像記録装置を提供することを目的とするものである。
【課題を解決するための手段】
【００１１】
前記目的を達成するために、請求項１に記載の発明は、被記録媒体を供給して排出する搬送手段と、この搬送手段にて搬送される被記録媒体に対して画像形成するための記録部と、当該装置の動作を制御するための制御基板とを備えた下側本体と、原稿を読取る読取手段が往復移動可能に備えられた上側本体とからなり、前記下側本体の一側部位に対して前記上側本体が回動開閉可能に取り付けられ、前記下側本体の上面に液晶パネル表示部が配置された画像記録装置において、前記上側本体には、当該上側本体を前記下側本体の上面に対して閉じたときに前記液晶パネル表示部の表示面が見えるようにする開口部が形成され、前記液晶パネル表示部は、下側本体の上面のうち当該下側本体の正面に近い側縁部近傍であって、前記下側本体の左右方向のほぼ中央部位に配置され、前記下側本体の正面には、前記液晶パネル表示部の配置位置の側部に、記録メディア用のスロットが開口形成されているものである。
【００１２】
また、請求項２に記載の発明は、請求項１に記載の画像記録装置において、前記下側本体に対する上側本体の回動軸線が配置される側縁部と前記液晶パネル表示部が配置される側縁部とが平面視で互いに直交しているものである。
【００１３】
請求項３に記載の発明は、請求項１または２に記載の画像記録装置において、前記下側本体には、前記液晶パネル表示部を挟んで左右両側部位に当該画像記録装置の備える複数の機能を指示可能な入力キーを配置したものである。
【００１４】
請求項４に記載の発明は、請求項３に記載の画像記録装置において、前記液晶パネル表示部を挟んで配置した一対の入力キーのうち一方はテンキーであることを特徴とするものである。
【００１５】
請求項５に記載の発明は、請求項３または４に記載の画像記録装置において、前記液晶パネル表示部は、その表示面が前記下側本体の上面に対して上向きの姿勢から前向きの姿勢まで変更可能となるように起伏可能または回動可能に構成され、
前記下側本体の上面には、前記液晶パネル表示部のうち、少なくとも前記一側部の回動軸線に対して近い側部と遠い側部とに、当該液晶パネル表示部の表面が前向き方向に起立した状態で、前記開口部と干渉しないようにする余裕区域を設けたものである。
【００１６】
請求項６に記載の発明は、請求項１または２に記載の画像記録装置において、前記上側本体には、前記開口部を挟んで左右両側部位に当該画像記録装置の備える複数の機能を指示可能な入力キーを配置したものである。
【００１７】
請求項７に記載の発明は、請求項６に記載の画像記録装置において、前記開口部を挟んで配置した一対の入力キーのうち一方はテンキーであることを特徴とするものである。
【００１８】
請求項８に記載の発明は、請求項６または７に記載の画像記録装置において、前記上側本体の上面の近傍には、前記開口部を挟んで前記回動軸線に近い側と遠い側との両部位に、操作パネル基板がそれぞれ配置され、前記両操作パネル基板を接続するハーネスが、切欠き状の前記開口部と隣接する奥側の部位に沿って配線されているものである。
【発明の効果】
【００１９】
請求項１に記載の発明によれば、被記録媒体を供給して排出する搬送手段と、この搬送手段にて搬送される被記録媒体に対して画像形成するための記録部と、当該装置の動作を制御するための制御基板とを備えた下側本体と、原稿を読取る読取手段が往復移動可能に備えられた上側本体とからなり、前記下側本体の一側部位に対して前記上側本体が回動開閉可能に取り付けられ、前記下側本体の上面に液晶パネル表示部が配置された画像記録装置において、前記上側本体には、当該上側本体を前記下側本体の上面に対して閉じたときに前記液晶パネル表示部の表示面が見えるようにする開口部が形成され、前記液晶パネル表示部は、下側本体の上面のうち当該下側本体の正面に近い側縁部近傍であって、前記下側本体の左右方向のほぼ中央部位に配置され、前記下側本体の正面には、前記液晶パネル表示部の配置位置の側部に、記録メディア用のスロットが開口形成されているものである。
【００２０】
従って、前記スロットが下側本体の正面に配置されていると、ユーザーが使用し易くなる。そして、通常、各スロットの内方（下側本体の内部）には、前記記録媒体を挿抜し、挿入時の位置を保持するための機械的機構や、上記記録媒体に対するデータの入力、出力のためのインターフェース基板が一体的に設けられている。また、液晶パネル表示部３４にも、液晶パネルの他制御基板が一体的に設けられているので、上述のように、液晶パネル表示部とスロットとを水平方向に横並び状に配置することにより、下側本体の必要高さ寸法を低く抑えることができ、画像記録装置をコンパクトに形成できるという効果を奏する。しかも、下側本体の一側部位に対して上側本体が回動開閉可能に取り付けられており、下側本体の上面に液晶パネル表示部が配置され、上側本体を下側本体の上面に対して閉じたときに液晶パネル表示部の表示面が露出等して見えるように開口部が上側本体に形成されていることにより、液晶パネル表示部の高さが上側本体の開口部て重複することになり、これによっても、画像記録装置の高さ寸法を短くでき、コンパクトになるという効果を奏する。
【００２１】
請求項２に記載の発明によれば、液晶パネル表示部は、下側本体の上面のうち当該下側本体の正面に近い側縁部近傍に配置され、下側本体に対する上側本体の回動軸線が配置される側縁部と液晶パネル表示部が配置される側縁部とが平面視で互いに直交しているように構成されているので、ユーザーが対峙する下側本体の正面に近い側から液晶パネル表示部を見ることができ、且つ上側本体の全開状態であっても、ユーザーは液晶パネル表示部の表示面を容易に見ることができる。
【００２２】
請求項３に記載の発明によれば、前記下側本体には、前記液晶パネル表示部を挟んで左右両側部位に、当該画像記録装置の備える複数の機能を指示可能な入力キーを配置したものであるから、メンテナンス作業時や部品の交換及び消耗品の交換等の作業を行うのに必要な入力操作を行うことができるので、メンテナンス作業や部品の交換及び消耗品の交換等の作業が容易にできるという効果を奏する。
【００２３】
請求項４に記載の発明によれば、開口部を挟んで配置した一対の入力キーのうち一方はテンキーとした場合、特に、電話またはファクシミリの送信番号等を誤入力することが防止できる。
【００２４】
請求項５に記載の発明によれば、前記液晶パネル表示部は、その表示面が前記下側本体の上面に対して上向きの姿勢から前向きの姿勢まで変更可能となるように起伏可能または回動可能に構成されているので、通常の使用状態、つまり下側本体の上面を上側本体で覆った状態でも、また、メンテナンス作業時のように上側本体を開いた状態でも、液晶パネル表示部を画像記録装置の正面等に任意の上下角度に立て起こすことができ、当該液晶パネル表示部の表示面をユーザーにとって画像のコントラストが鮮明になるように調節できるから、表示された画像データやメッセージ等が見え易くなると共に、下側本体に対して上側本体を開いた状態において、メンテナンスや部品交換等の作業を行う場合にも、液晶パネル表示部にその操作指示のメッセージ等が作業者に見え易くなるという効果を奏する。
【００２５】
そして、前記下側本体の上面には、前記液晶パネル表示部のうち、少なくとも前記一側部の回動軸線に対して近い側部と遠い側部とに、当該液晶パネル表示部の表面が前向き方向に起立した状態で、前記開口部と干渉しないようにする余裕区域を設けたものであるから、上側本体の開閉回動時に、起立させた液晶パネル表示部に衝突することがないので、操作がし易いという効果を奏する。
【００２６】
請求項６に記載の発明によれば、前記上側本体の上面には、前記開口部を挟んで前記回動軸線に近い側と遠い側との両隣接部位に、当該画像記録装置の備える複数の機能を指示可能な入力キーのうち、機能の異なる入力キーを配置したものであるから、メンテナンス作業時や部品の交換及び消耗品の交換等の作業を行う場合に、上側本体を開いた状態で、入力キーの部分に作業者の手指などが触れないので、誤動作を防止できるという効果を奏する。
【００２７】
請求項７に記載の発明によれば、開口部を挟んで配置した一対の入力キーのうち一方はテンキーとしたので、メンテナンス作業を指示してもらうためにサービスセンターへの電話またはファクシミリの送信番号等を入力することが容易にできる。
【００２８】
請求項８に記載の発明によれば、前記上側本体の上面の近傍には、前記開口部を挟んで前記回動軸線に近い側と遠い側との両部位に、操作パネル基板がそれぞれ配置され、前記両操作パネル基板を接続するハーネスが、切欠き状の前記開口部と隣接する奥側の部位に沿って配線されているものであるから、ハーネスの長さを短くでき、ノイズを拾うことが少なくなるという効果を奏する。
【発明を実施するための最良の形態】
【００２９】
以下、本発明の具体的に実施形態について、図面に基づいて説明する。図１は本発明が適用された第１実施形態の画像記録装置の斜視図、図２は平面図、図３はカバー体を開いた状態の側断面図、図４は記録部及び給紙部のみの拡大側断面図、図５は液晶パネル表示部を下側本体の前方に引き出した状態の斜視図、図６は下側本体に対して上側本体が開いた状態の斜視図、図７は図６の正面図、図８は第２実施形態の画像記録装置の斜視図、図９は平面図、図１０は下側本体に対して上側本体が開いた状態の斜視図、図１１は図１０の正面図、図１２は第３実施形態の画像記録装置の斜視図、図１３は平面図、図１４は液晶パネル表示部を起立させた状態の斜視図、図１５は図１３のXV−XV線矢視で示しカバー体を開いた状態の側断面図、図１６は下側本体に対して上側本体が開いた状態の斜視図、図１７は図１６の正面図である。
【００３０】
本発明を実施するための最良の形態について以下に説明する。本実施形態の画像記録装置１は、プリンタ機能、コピー機能、スキャナ機能、ファクシミリ機能を備えた多機能装置（ＭＦＤ：Multi Function Device ）である。図１及び図２に示す第１実施形態では、画像記録装置１における合成樹脂製の射出成形品からなるハウジングとしての下側本体２を備えている。
【００３１】
下側本体２の上面には、合成樹脂製の射出成形品からなる上側本体３が、枢軸部４を介して下側本体２の一側端に対して上下開閉回動可能に装着されている。即ち、下側本体２の正面側（図１において右側）に開口部２ａが形成されているとき、下側本体２に対する上側本体３の回動軸線としての枢軸部４は下側本体２の左側面側に位置している。
【００３２】
上側本体３内には、コピー機能やファクシミリ機能における画像読取装置５が組み込まれている。この画像読取装置５は、原稿カバー体７を上側に開けて原稿を載置することができる原稿載置用のガラス板６と、ガラス板６の下側に原稿読取り用の密着型イメージセンサ（ＣＩＳ：Contact Image Sensor）８とからなる。密着型イメージセンサ８は、図３の紙面と直交する方向（主走査方向、図１におけるＹ軸方向）に延びるガイド軸９に沿って往復移動可能に設けられている。画像読取装置５の上面を覆う原稿カバー体７の後端は上側本体３の後端に対して蝶番１０（図２参照）を中心に上下回動可能に装着されている。
【００３３】
他方、下側本体２の一側（枢軸部４から最も離間した側、図６において右側）には、  上面解放状のインク貯蔵部１１が配置され、このインク貯蔵部１１には、図示しないが個別の色毎のカートリッジとして、この実施形態では、ブラック（Ｂｋ）、シアン（Ｃ）、マゼンタ（Ｍ）、イエロー（Ｙ）の各色用のインクカートリッジが収納されており、各インクカートリッジと、後述する記録部１２におけるインクジェット式の記録ヘッド１４とを、可撓性を有するインク供給管で常時連結している。
【００３４】
他方、下側本体２の底部には、図２〜図４に示すように、用紙Ｐを堆積収容する給紙カセット１５が進退動可能に配置されており、この給紙カセット１５は下側本体２の前側（図１及び図３において右側）の開口部２ａから差し込まれている。本実施形態では、給紙カセット１５は、被記録媒体としての、例えば、Ａ４サイズ、レターサイズ、リーガルサイズ、はがきサイズ等にカットされた用紙Ｐをその短辺（幅）が給紙方向（矢印Ａ方向）と直交する方向（主走査方向、Ｙ軸方向）に延びるようにして、複数枚積層（堆積）されて収納できる形態とする。
【００３５】
給紙カセット１５の奥側（図４において右側）には、用紙分離用に傾斜分離板１６が配置されている。この傾斜分離板１６は、用紙Ｐの幅方向（Ｙ軸方向）の中央側で突出し、用紙Ｐの幅方向の左右両端部側に行くに従って後退するように平面視で凸湾曲状に形成されており、且つ用紙Ｐの幅方向の中央部には、用紙Ｐの先端縁に当接して分離を促進するための鋸歯状の弾性分離パッド（図示せず）が設けられている。
【００３６】
また、下側本体２側には、給紙手段１７における給紙アーム１７ａの基端部が上下方向に回動可能に装着され、この給紙アーム１７ａの先端部に設けられた給紙ローラ１７ｂには、給紙アーム１７ａ内に設けられた歯車伝達機構１７ｃにより、図示しない駆動源からの回転が伝えられる。そして、この給紙ローラ１７ｂと傾斜分離板１６の弾性分離パッドとにより、給紙カセット１５に堆積された用紙Ｐを一枚ずつ分離搬送する。給紙方向（矢印Ａ方向）に沿って進むように分離された用紙Ｐは、横向きの略Ｕ字形状のパスを含む搬送経路１８を介して、給紙カセット１５より上側（高い位置）に設けられた記録部１２に給送される。搬送経路１８は、そのＵ字形状の外周側を構成する第１搬送路体１８ａと、内周側を構成する第２搬送路体１８ｂとの間隙に形成されている。
【００３７】
記録部１２は、図３及び図４に示されるように、箱型のメインフレーム２１とその左右一対の側板にて支持され、Ｙ軸方向（主走査方向）に延びる横長の板状の第１および第２ガイド部材２２，２３との間に形成される。記録部１２におけるインクジェット式の記録ヘッド１４が搭載されたキャリッジ１３は、排紙方向（矢印Ｂ方向）の上流側の第１ガイド部材２２及び下流側の第２ガイド部材２３に跨って摺動自在に支持されているため、Ｙ軸方向に往復移動可能になっている。
【００３８】
キャリッジ１３を往復移動させるために、排紙方向（矢印Ｂ方向）の下流側に配置された第２ガイド部材２３の上面には、主走査方向（Ｙ軸方向）に延びるようにタイミングベルト（図示せず）が配置され、このタイミングベルトを駆動するＣＲ（キャリッジ）モータ（図示せず）は第２ガイド部材２３の下面に固定されている。
【００３９】
キャリッジ１３における記録ヘッド４の下面と対峙するようにＹ軸方向に延びる扁平状のプラテン２６は、前記両ガイド部材２２，２３の間にて、メインフレーム２１に固定されている（図４参照）。
【００４０】
プラテン２６の排紙方向（矢印Ｂ方向）上流側には、図２に示すように、用紙Ｐを記録ヘッド４の下面に搬送するための搬送（レジスト）ローラとして、駆動ローラ２７と、この駆動ローラ２７に対向する下方にニップローラ２８とが配置されている。また、プラテン２６の排紙方向（矢印Ｂ方向）下流側には、記録部１２を経た用紙Ｐを排紙方向（矢印Ｂ方向）に沿って搬送するように駆動される排紙ローラ２８と、これに対向して排紙ローラ２８側に付勢された拍車ローラ２８ａとが配置されている。
【００４１】
記録部１２にて記録された用紙Ｐがその記録面を上向きにして排出される排紙トレイ３０は、給紙カセット１５の上部に設けられ、排紙トレイ３０に連通する排紙口３０ａが下側本体２の前面の開口部２ａと共通にして開口されている。また、排紙方向（矢印Ｂ方向）の下流側のガイド部材２３の下面から下側本体２の前端の排紙口３０ａまでの間には、排紙トレイ３０の上方を覆うようにした合成樹脂製の仕切板（下カバー体）３１が、下側本体２と一体的に形成されている（図３参照）。
【００４２】
給紙カセット１５の底板１５ａの給紙方向（矢印Ａ方向）の上流側端部における幅方向の中央部には、この上流側端部からさらに外方（排紙方向のさらに下流側）へスライド可能に、略板状の補助支持部材３２が設けられ、この補助支持部材３２に排紙補助トレイ３３が取り付けられている。この排紙補助トレイ３３は、排紙トレイ３０から外方へ突出した用紙Ｐにおける排紙方向（矢印Ｂ方向）下流側の端部を支持することができるようになっている（図１、図２、図３、図５〜図７参照）。
【００４３】
下側本体２内には、仕切板３１より上側に、記録部１２やファクシミリ通信等のための制御基板４９が配置されている（図３参照）。また、下側本体２の正面には、液晶パネル表示部３４の配置部位の一側方若しくは両側方、例えば、実施形態では、枢軸部４と液晶パネル表示部３４との間に、複数種類のカード型若しくは薄棒状の記録媒体を挿入するために複数のスロット５０、５１、５２が開口形成されている。記録媒体としては、例えば、メモリースティック（登録商標）、スマートメディア（登録商標）、コンパクトフラッシュ（登録商標）、ＳＤメモリーカード（登録商標）、ｘＤピクチャーカード（登録商標）等がある。また、下側本体２の正面のうち液晶パネル表示部３４の配置位置より右側には、周辺機器との通信のためのＵＳＢコネクタの差込み口５３が設けられている。
【００４４】
画像記録装置１の第１実施形態では、図１、図２及び図５〜図７に示すように、下側本体２の上側のうち、正面に近い側縁部近傍であって、Ｙ軸方向である左右方向（使用者が装置と対峙したときの左右方向、以下同じ）のほぼ中央部位に、液晶パネル表示部３４のみが配置されている。換言すると、液晶パネル表示部３４は、下側本体２の上面のうち当該下側本体２の正面（使用者が装置を操作する際に操作パネルＣ，Ｄと対峙する面、以下同じ）に近い側縁部近傍に配置され、且つ枢軸部４が配置される側縁部と液晶パネル表示部３４が配置される側縁部とが平面視で互いに直交している。
【００４５】
この液晶パネル表示部３４はカラー画像を表示できる程度の大きい表示面積（実施形態では４２ｍｍ×５４ｍｍ程度）を有するものである。また、下側本体２に設けられた一対の円弧状のガイドレール３５（図３及び図６では一方のみ示す）に液晶パネル表示部３４の背面（下面）が摺動可能に支持されており、液晶パネル表示部３４は、その表示面が下側本体２の上面とほぼ同一面の姿勢（図１参照）から、下側本体２の正面方向に対して斜め上向きの適宜角度（実施形態では水平面に対して略４０度程度）の姿勢（図３、図５及び図６参照）まで任意に姿勢調節可能に構成されている。
【００４６】
他方、上側本体３の上面の前部（正面に近い部位）には、下側本体２に対する上側本体３の回動軸線としての枢軸部４を中心にして当該上側本体３を下側本体２の上面に対して閉じたときに、液晶パネル表示部３４の表示面が露出して見えるように、切欠き状の開口部３６が形成されている（図５〜図７参照）。実施形態では、開口部３６は上側本体３の正面側に解放された平面視略コ字型である。
【００４７】
そして、下側本体２の上面には、枢軸部４を中心にして上側本体３を下側本体２の上面に対して開閉回動するときに、開口部３６のコ字状の側辺３６ａ，３６ｂ，３６ｃが液晶パネル表示部３４の側辺３４ａ，３４ｂ，３４ｃと合わさる箇所で、当該液晶パネル表示部３４と開口部３６とが干渉しないようにするために適宜の大きさの余裕区域（スペース）５７ａ，５７ｂが設けられている。第１実施形態では、液晶パネル表示部３４はその表示面がほぼ上向きの状態のとき、当該表示面の高さ位置が、閉じられた上側本体３の上面（後述する操作パネルＣ，Ｄ部分）と略同一面若しくはそれより若干低い位置になるように設定されており、且つこの液晶パネル表示部３４は円弧状のガイドレール３５に沿って姿勢が前方向に傾き回動するときに、特に、枢軸部４から近い液晶パネル表示部３４の側辺３４ａと、枢軸部４から遠い液晶パネル表示部３４の側辺３４ｃとが、開口部３６に干渉しない程度に、液晶パネル表示部３４の外周部に余裕区域としての隙間空間５７ａ，５７ｂが設けられている（図１、図２及び図５参照）。
【００４８】
さらに、上側本体３が下側本体２に対して閉じるとき、開口部３６のコ字状の側辺３６ａ，３６ｂ，３６ｃが液晶パネル表示部３４の側辺３４ａ，３４ｂ，３４ｃと合わさる箇所で、作業者の指が鋭い縁で挟まれないようにするため、各側辺３６ａ，３６ｂ，３６ｃ及び各側辺３４ａ，３４ｂ，３４ｃは下方に行くに従って広がる台形状側面に形成するものである（図５、図６及び図７参照）。
【００４９】
また、上側本体３の上面には、開口部３６を挟んで枢軸部４から近い側と遠い側との両隣接部位に、電気製品である画像記録装置１の備える複数の機能を指示可能な入力キーのうち、機能の異なる入力キーが配置された操作パネルＣ，Ｄが設けられている。実施形態では、図１、図２、図５〜図７に示すように、開口部３６より右側に配置される操作パネルＣの右の端部には、スタートストップ入力キー３７ａとカラーコピースタート入力キー３７ｂとモノクロコピースタート入力キー３７ｃが縦列に並べられている。その左隣には、予め登録されているファクシミリ番号の検索と、受話器の音の大小調節等のための十字ドグル型入力キー３８ａが配置されている。開口部３６の右側隣接箇所には、複数の機能のうち使用を希望する機能を選択して表示するための入力キー、例えばフォトキャプチャー入力キー３９ａ，コピー入力キー３９、ファクシミリ入力キー３９ｃ，スキャナ入力キー３９ｄが縦列に並べられている。液晶パネル表示部３４より左側に配置される操作パネルＤには、ファクシミリの番号等を入力するためのテンキー４０及び管理レポートの出力用キー４１ａ，ファクシミリ番号再発報（リダイヤル）入力キー４０ｂ等が配置されている。
【００５０】
また、上側本体３の前側の内部には、上記の開口部３６の右側の入力キー群に対応してその下面側に第１操作パネル基板４６が配置され、開口部３６の左側の入力キー群に対応してその下面側に第２操作パネル基板４７が配置され、この両操作パネル基板４６、４７間の信号を伝達するために連結するハーネス４８は、開口部３６における奥側の側辺３６ｂのフレーム内側に沿って配線されている（図２、図６参照）。
【００５１】
なお、上側本体３の上面のガラス板６を覆う開閉可能な原稿カバー体７の上面のうち、開口部３６に接近した部位には、当該原稿カバー体７を開閉するときのユーザーの指が嵌まる把手部５４が設けられている一方、上側本体３の上面における開口部３６の奥側の側面３６ｂの近傍には凹部５５を形成し、この凹部５５にユーザーの指を入れることで、液晶パネル表示部３４を前方に移動させるという姿勢変更作業を容易にすることができる。この凹部５５はガラス板６及び原稿カバー体７の縁に連通していないので、当該ガラス板６に読取るべき１枚の原稿を伏せて載置し、原稿カバー体７で覆った状態ではガラス板６及び原稿カバー体７の縁から外光が侵入せず、読み取られた画像データは鮮明となる。
【００５２】
また、ほぼ上向き状態の液晶パネル表示部３４の表示面の高さ位置が、閉じられた上側本体３における操作パネルＣ，Ｄの上面と略同一面若しくはそれより若干低い位置になるように設定しておけば、操作パネルＣ，Ｄの上面より高い位置のガラス板６上に載置した原稿の縁がガラス板６の縁よりはみ出しても、原稿カバー体７で覆った状態ではガラス板６及び原稿カバー体７の縁から外光が侵入せず、読み取られた画像データは鮮明となる。
【００５３】
図８〜図１１は画像記録装置１の第２実施形態を示し、下側本体２の上側のうち、正面に近い側縁部近傍であって、Ｙ軸方向である左右のほぼ中央部位に、液晶パネル表示部３４と、この液晶パネル表示部３４を挟んで左右両側に複数の機能を有する入力キーが配置された操作パネルＣ，Ｄが設けられている。換言すると、液晶パネル表示部３４及び２つの操作パネルＣ，Ｄは、下側本体２の上面のうち当該下側本体２の正面に近い側縁部近傍に配置され、且つ枢軸部４が配置される側縁部と液晶パネル表示部３４及び２つの操作パネルＣ，Ｄが１列状に配置される側縁部とが平面視で互いに直交している。
【００５４】
操作パネルＣ，Ｄにおける入力キーの種類や配置等は、第１実施形態（図１、図２、図５〜図７参照）と同じであるので、同じ符号を使用して詳細な説明は省略する。また、下側本体２における操作パネルＣ，Ｄに対する操作パネル基板４６、４７は、当然下側本体２の上面近くの内側に配置され、両操作パネル基板４６、４７を連結して信号を転送するためのハーネス４８は液晶パネル表示部３４より下方であって、下側本体２の内面側に沿って配線されている（図９及び図１０参照）。
【００５５】
そして、上側本体３の上面の前部（正面に近い部位）には、下側本体２に対する上側本体３の回動軸線としての枢軸部４を中心にして当該上側本体３を下側本体２の上面に対して閉じたときに、液晶パネル表示部３４の表示面及び操作パネルＣ，Ｄが露出して見えるように、切欠き状の開口部３６が形成されている（図８〜図１１参照）。実施形態では、開口部３６は上側本体３の正面側に解放された平面視略矩形型であり、枢軸部４に最も近い部位まで切欠き形成されている。また、上側本体３の上面のうち、枢軸部４から最も遠い端部には、下側本体２におけるインク貯蔵部１１の上面の一部を覆うための平面視矩形状のカバー部５６が一体的に形成されている（図１０、図１１参照）。この実施形態においても、上側本体３を下側本体２に対して開閉回動するとき、姿勢変更する液晶パネル表示部３４とカバー部５６とが干渉しないようにする余裕区域５８として、液晶パネル表示部３４の右側に操作パネルＣが配置されるものとする。
【００５６】
また、上側本体３が下側本体２に対して閉じるとき、開口部３６の奥側辺３６ｄやカバー部５６の側辺５６ａが液晶パネル表示部３４及び操作パネルＣ，Ｄの奥側辺３４ｄ及びー側辺３４ｅと合わさる箇所で、作業者の指が鋭い縁で挟まれないようにするため、各側辺３６ｄ，５６ａ及び各側辺３４ｄ，３４ｅは下方に行くに従って広がる台形状側面に形成するものである（図１０及び図１１参照）。なお、この台形状側面は平面でも湾曲面であっても良い。
【００５７】
なお、変形例として、下側本体２におけるインク貯蔵部１１の上面に隣接して液晶パネル表示部３４を配置する一方、枢軸部４から近い側に操作パネルＣ，Ｄを１箇所に集めるように配置しても良い。その場合には、液晶パネル表示部３４の右側で、カバー部５６の左側辺５６ａに隣接する箇所に適宜幅の余裕区域５８（図示せず）を設けるものである。
【００５８】
なお、その他の構成は、第１実施形態と同じであるので、同じ符号を付して詳細な説明は省略する。特に、図２の III−III 線矢視側断面である図３は、図９における III−III 線矢視と同じものであることに注意されたい。
【００５９】
図１２〜図１７に示す第３実施形態では、上側本体３は下２の一側部における枢軸部４を中心に上下開閉回動可能に連結されている（図１６及び図１７参照）。下側本体２の上側のうち、正面に近い側縁部近傍であって、Ｙ軸方向である左右のほぼ中央部位に、液晶パネル表示部３４と、この液晶パネル表示部３４を挟んで左右両側に余裕区域５９ａ，５９ｂとしての複数の機能を有する入力キーが配置された操作パネルＥ，Ｆが設けられている。従って、枢軸部４が配置される側縁部と液晶パネル表示部３４及び４つの操作パネルＣ，Ｄ，Ｅ，Ｆが１列状に配置される側縁部とが平面視で互いに直交している。
【００６０】
他方、上側本体３の上面のうち正面に近い側には同じく複数の機能を有する入力キーが配置された操作パネルＣ，Ｄが設けられている。そして、液晶パネル表示部３４はその基端部（前端部）を中心に起立回動可能なように、支軸６０に支持されている（図１２及び図１５参照）。即ち、液晶パネル表示部３４は、その表示面が操作パネルＣ〜ｆの上面とほぼ平行状の上向きの姿勢から、画像記録装置１の正面方向に向かう姿勢まで任意の上下角度の姿勢に変更し、且つその姿勢を保持できるよう構成されている。
【００６１】
液晶パネル表示部３４の左右両側に５９ａ，５９ｂとしての操作パネルＥ，Ｆが設けられているので、液晶パネル表示部３４が正面を向くように起立しても、平面視コ字型に切欠き形成された開口部３６が干渉することがない（図１７参照）。
【００６２】
また、上側本体３が下側本体２に対して閉じるとき、開口部３６の左右両側辺３６ａ，３６ｃと奥側辺３６ｂが操作パネルＥ，Ｆの左右両側辺６１ａ，６１ｃ及び奥側辺６１ｂと合わさる箇所で、作業者の指が鋭い縁で挟まれないようにするため、各側辺３６ａ〜３６ｃ及び各側辺６１ａ〜６１ｃは下方に行くに従って広がる台形状側面に形成するものである（図１６及び図１７参照）。
【００６３】
なお、液晶パネル表示部３４より左側に配置される余裕区域５９ａとしての操作パネルＥには、複数の機能のうち使用を希望する機能を選択して表示するための入力キー、例えばフォトキャプチャー入力キー３９ａ，コピー入力キー３９、ファクシミリ入力キー３９ｃ，スキャナ入力キー３９ｄが縦列に並べられている。液晶パネル表示部３４より左側に配置される余裕区域５９ｂとしての操作パネルＦには、ファクシミリの管理レポートの出力用キー４１ａ，ファクシミリ番号再発報（リダイヤル）入力キー４０ｂ等が配置されている。
【００６４】
また、上側本体３における開口部３６より右側の操作パネルＣには、予め登録されているファクシミリ番号の検索と、受話器の音の大小調節等のための十字ドグル型入力キー３８ａが配置されている。開口部３６より左側の操作パネルＤには、ファクシミリ番号入力キー４０が配置されている（図１２、図１３参照）。そして、上側本体３の前側の内部には、上記の開口部３６の右側の入力キー群に対応してその下面側に第１操作パネル基板４６が配置され、開口部３６の左側の入力キー群に対応してその下面側に第２操作パネル基板４７が配置され、この両操作パネル基板４６、４７間の信号を伝達するために連結するハーネス４８は、開口部３６における奥側の側辺３６ｂのフレーム内側に沿って配線されている（図１３参照）。なお、その他の構成は、第１実施形態と同じであるので、同じ符号を付して詳細な説明は省略する。
【００６５】
第１〜第３実施形態に示すように、スロット５０、５１、５２やＵＳＢコネクタの差込み口５３が下側本体２の正面に配置されていると、ユーザーが使用し易くなる。
【００６６】
通常、各スロット５０、５１、５２の内方（下側本体２の内部）には、上記記録媒体を挿抜し、挿入時の位置を保持するための機械的機構や、上記記録媒体に対するデータの入力、出力のためのインターフェース基板が一体的に設けられている。また、液晶パネル表示部３４にも、液晶パネルの他制御基板が一体的に設けられている。従って、上述のように、液晶パネル表示部３４とスロット５０、５１、５２とを水平方向に横並び状に配置することにより、下側本体２の必要高さ寸法を低く抑えることができ、画像記録装置１をコンパクトに形成できるという効果を奏する。
【００６７】
第１〜第３実施形態に示すように、上側本体３を上向きに回動させて、下側本体２の上面との空間が大きく解放できるように枢軸部４から最も遠い側部に、インク貯蔵部１１を設けることにより、インクカートリッジの交換作業が至極容易になるという効果を奏する。また、インク交換作業の指示を、液晶パネル表示部３４に表示できるようにする時、この液晶パネル表示部３４を枢軸部４から遠い側部であって、インク貯蔵部１１の配置位置に近い側に設けることにより、上側本体３を上向きに回動させた状態でも、液晶パネル表示部３４の表示面がユーザーから見え易くなる。第１〜第３実施形態に示すように、インクカートリッジの交換作業のときに見え易くするように、液晶パネル表示部３４は、表示面が上向きの状態から起立した状態の任意の角度に調節できる。
【００６８】
上述の各実施形態において、下側本体２の一側部位に対して上側本体３が回動開閉可能に取り付けられており、下側本体２の上面に液晶パネル表示部３４が配置され、上側本体３を下側本体２の上面に対して閉じたときに液晶パネル表示部３４の表示面が露出する開口部３６が上側本体３に形成されていることにより、制御基板４９から液晶パネル表示部３４に対する信号の転送用のハーネスを短く配線できるから、ノイズを拾うことを防止して、液晶パネル表示部３４での画像等のデータの表示が確実且つ鮮明にできる。そして、通常の使用状態、つまり下側本体２の上面を上側本体３で覆った状態でも、液晶パネル表示部３４の表示面が見えるので、表示された画像データやメッセージ等が見え易くなると共に、下側本体２に対して上側本体３を開いた状態において、メンテナンスや部品交換等の作業を行う場合にも、液晶パネル表示部３４にその操作指示のメッセージ等が作業者に見え易くなるという効果を奏する。
【００６９】
そして、液晶パネル表示部３４は、下側本体２の上面のうち当該下側本体２の正面に近い側縁部近傍に配置され、下側本体２に対する上側本体３の回動軸線である枢軸部４が配置される側縁部と液晶パネル表示部３４が配置される側縁部とが平面視で互いに直交しているように構成すれば、ユーザーが対峙する下側本体２の正面に近い側から液晶パネル表示部３４を見ることができ、且つ上側本体３の全開状態であっても、ユーザーは液晶パネル表示部３４の表示面を容易に見ることができる。
【００７０】
さらに、液晶パネル表示部３４の姿勢を、その表示面が水平状態から起立する姿勢まで任意の角度に変更できるように起伏可能又は回動可能に構成すれば、ユーザーは、その目線を液晶パネル表示部３４の表示面とほぼ直交するように顔の位置をずらす等、ユーザーの体の姿勢を変えることなく、液晶パネル表示部３４を明瞭に見ることができる視野角の調整が容易になり、インクカートリッジの交換作業などのメンテナンス作業時等において、液晶パネル表示部３４の画像のコントラストを常に鮮明になるように簡単に調節でき、メンテナンス等の作業を容易にできるという効果を奏する。
【００７１】
さらに、第１〜第３実施形態に示すように、下側本体２の上面には、液晶パネル表示部３４の左右両側もしくは一方の側部に隣接して、余裕区域５７ａ，５７ｂ（５８、５９ａ，５９ｂ）を設けたので、液晶パネル表示部３４を立て起こした状態で上側本体３を開閉しても、開口部３６と液晶パネル表示部３４とが干渉せず、液晶パネル表示部３４を立て起こした状態で上側本体３を開閉できるから、メンテナンス作業が容易になるという効果を奏する。
【００７２】
第１及び第３実施形態のように、上側本体３の上面には、開口部３６を挟んで枢軸部４から近い側と遠い側との両隣接部位に、画像記録装置１の備える複数の機能を指示可能な入力キーのうち、機能の異なる入力キーを配置することにより、メンテナンス作業時や部品の交換及びインクカートリッジ等の消耗品の交換等の作業を行う場合に、上側本体３を開いた状態で、入力キーの部分に作業者の手指などが触れないので、誤動作を防止できるという効果を奏する。  そして、開口部３６を挟んで配置した一対の入力キーのうち一方はテンキーとした場合、特に、電話またはファクシミリの送信番号等を誤入力することが防止できる。
【００７３】
逆に、第２実施形態のように、下側本体２の上面には、液晶パネル表示部３４を挟んで枢軸部４から近い側と遠い側との両隣接部位若しくは一方の隣接部位に、画像記録装置１の備える複数の機能を指示可能な入力キーのうち、機能の異なる入力キーを配置すれば、メンテナンス作業時や部品の交換及びインクカートリッジ等の消耗品の交換等の作業を行う場合に使用する入力キーを操作し易くなるという効果を奏する。
【００７４】
そして、開口部３６を挟んで配置した一対の入力キーのうち一方はテンキーとした場合、メンテナンス作業を指示してもらうためにサービスセンターへの電話またはファクシミリの送信番号等を入力することが容易できる。
【００７５】
第１及び第３実施形態のように、上側本体３の上面に入力キーを備えた操作パネルＣ，Ｄを配置した場合において、その近傍には、開口部３６を挟んで枢軸部４（回動軸線）から近い側と遠い側との両部位に、操作パネル基板４６、４７がそれぞれ配置され、前記両操作パネル基板を接続するハーネスが、切欠き状の開口部と隣接する奥側の部位に沿って配線することにより、ハーネスの長さを短くでき、ノイズを拾うことが少なくなるという効果を奏する。
【００７６】
第２実施形態のように、下側本体２の上面の近傍には、液晶パネル表示部３４を挟んで枢軸部４から近い側と遠い側との両部位に、操作パネル基板４６、４７がそれぞれ配置され、両操作パネル基板４６、４７を接続するハーネス４８が、液晶パネル表示部３４より下方部位に沿って配線されている場合もハーネス４８の長さを短くしてノイズを拾うのを防止できる。
【００７７】
本発明は、多機能型の画像記録装置１ばかりでなく、単機能型の画像記録装置についても適用できることはいうまでもなく、その場合にも上記と同様の作用・効果を奏することができるものである。
【図面の簡単な説明】
【００７８】
【図１】本発明が適用された第１実施形態の画像記録装置の斜視図である。
【図２】本発明が適用された第１実施形態の平面図である。
【図３】図２及び図９の III−III 線矢視で原稿カバー体を開いた状態の側断面図である。
【図４】記録部及び給紙部を示す要部拡大側断面図である。
【図５】第１実施形態の画像記録装置における液晶パネル表示部を前方に傾斜させた状態を示す斜視図である。
【図６】第１実施形態の画像記録装置における上側本体を大きく開いた状態の斜視図である。
【図７】図６の正面図である。
【図８】第２実施形態の画像記録装置の斜視図である。
【図９】第２実施形態の平面図である。
【図１０】第２実施形態の画像記録装置における上側本体を大きく開いた状態の斜視図である。
【図１１】図１０の正面図である。
【図１２】第３実施形態の画像記録装置の斜視図である。
【図１３】第３実施形態の平面図である。
【図１４】第３実施形態の液晶パネル表示部を起立させた状態の斜視図である。
【図１５】図１３のXV−XV線矢視で示す原稿カバー体を開いた状態の側断面図である。
【図１６】第３実施形態の画像記録装置における上側本体を大きく開いた状態の斜視図である。
【図１７】図１６の正面図である。
【符号の説明】
【００７９】
１      画像記録装置
２      下側本体
２ａ    開口部
３      上側本体
４      回動軸線としての枢軸部
５      画像読取装置
６      ガラス板
７      原稿カバー体
１１      インク貯蔵部
１２      記録部
１３      キャリッジ
１４      記録ヘッド
１５      給紙カセット
３４      液晶パネル表示部
３５      ガイドレール
３６      開口部
３７ａ〜３７ｃ、３８、３９ａ〜３９ｄ      入力キー
４０      テンキー
Ｃ，Ｄ，Ｅ，Ｆ    操作パネル
４６      第１操作パネル基板
４７      第２操作パネル基板
４８      ハーネス
５０〜５２    スロット
５４      把手
５５      凹部
５６      カバー部
５７ａ，５７ｂ，５８，５９ａ，５９ｂ    余裕区域
６０      支軸
６１ａ，６１ｂ，６１ｃ    側辺
【図１】
2006218650.tif 000003
【図２】
2006218650.tif 000004
【図３】
2006218650.tif 000005
【図４】
2006218650.tif 000006
【図５】
2006218650.tif 000007
【図６】
2006218650.tif 000008
【図７】
2006218650.tif 000009
【図８】
2006218650.tif 000010
【図９】
2006218650.tif 000011
【図１０】
2006218650.tif 000012
【図１１】
2006218650.tif 000013
【図１２】
2006218650.tif 000014
【図１３】
2006218650.tif 000015
【図１４】
2006218650.tif 000016
【図１５】
2006218650.tif 000017
【図１６】
2006218650.tif 000018
【図１７】
2006218650.tif 000019